(57)【要約】【課題】入室時の利用者の要求に応じた室内機器の制御を可能とし且つ室内のデザイン性を向上させる。【解決手段】室内に設けられた複数の室内機器２の中から利用者が入室時に選択した任意の室内機器２の動作を制御する室内機器制御装置１０であって、前記室内に入退出するドアの入室用取っ手１０２に設けられた複数の入室側操作手段１６と、入室側操作手段１６の各操作に対応する室内機器２の動作を特定する動作特定手段１１ａと、動作特定手段１１ａが特定した動作を室内機器２に要求する要求情報を生成する要求生成手段１１ｂと、要求生成手段１１ｂが生成した要求情報を前記室内機器２に送信する送信手段１４と、を有することを特徴とする。【選択図】図１
2007235855.tif 000002
【特許請求の範囲】
【請求項１】
室内に設けられた複数の室内機器の中から利用者が入室時に選択した任意の前記室内機器の動作を制御する室内機器制御装置であって、
前記室内に入退出するドアの入室用取っ手に設けられた複数の入室側操作手段と、
前記入室側操作手段の各操作に対応する前記室内機器の動作を特定する動作特定手段と、
前記動作特定手段が特定した動作を前記室内機器に要求する要求情報を生成する要求生成手段と、
前記要求生成手段が生成した要求情報を前記室内機器に送信する送信手段と、
を有することを特徴とする室内機器制御装置。
【請求項２】
前記ドアの退室用取っ手に設けられた退室側操作手段を有するとともに、
前記要求情報生成手段が、前記退室側操作手段の操作に応じて前記室内機器の動作の停止を要求する前記要求情報を生成するようにしたことを特徴とする請求項１に記載の室内機器制御装置。
【請求項３】
前記入室用取っ手に設けられて前記入室側操作手段の操作開始を前記利用者に選択させる選択手段を有するとともに、
前記動作特定手段が、前記選択手段の選択に応じて前記入室側操作手段の各操作に対応する前記室内機器の動作を特定するようにしたことを特徴とする請求項１又は２に記載の室内機器制御装置。
【請求項４】
室内に設けられた複数の室内機器と、請求項１〜３の何れか１項に記載の室内機器制御装置と、を有する室内機器制御システムにおいて、
前記室内機器が、前記室内機器制御装置の送信手段から前記要求情報を受信する機器側受信手段と、該機器側受信手段が受信した前記要求情報に対応した動作を制御する制御手段と、を有することを特徴とする室内機器制御システム。
【発明の詳細な説明】
【技術分野】
【０００１】
本発明は、室内機器制御装置及び室内機器制御システムに関し、より詳細には、室内に設けられた複数の室内機器の中から利用者が入室時に選択した任意の前記設備機器の動作を制御する室内機器制御装置及び室内機器制御システムに関するものである。
【背景技術】
【０００２】
住宅、オフィスビル等の室内には、照明、空調、オーディオ等の各種室内機器が設けられている。室内機器は、室内の壁に設けられた操作スイッチで利用者等が操作するようになっている。しかしながら、スイッチを壁に設置することは、室内デザインの面で大きな制約となっていた。また、室内が暗い場合、入室後に暗い中でスイッチを探さなければならず、不便であった。
【０００３】
そこで、室内機器を自動制御する技術思想が特許文献１に開示されている。該特許文献１には、鍵管理制御システムが記載されており、鍵保管装置と室内機器とを通信インタフェースを介して接続して、鍵の収納、取り出しに応じて、その鍵に対応した室内の室内機器の制御を連動させる技術思想が記載されている。また、このような鍵と室内機器の制御とを連動させることは、ホテルのカードキーなどでも知られている。
【特許文献１】特開平７−２５９４０２号公報
【発明の開示】
【発明が解決しようとする課題】
【０００４】
しかしながら、上述した鍵管理制御システムで鍵の収納、操作等で室内への利用者の入室を検出して室内機器を制御するようにしても、その対象が複数の室内機器である場合は、複数の中から予め定められた室内機器を制御することしかできず、各室内機器毎の制御を行うことができなかった。また、予め制御対象の室内機器を利用者等に選択させておくことも考えられるが、利用者の好み、要望等が変化すると、その設定を変更しなければならず、利用者を煩わせてしまうという問題があった。
【０００５】
よって本発明は、上述した問題点に鑑み、入室時の利用者の要求に応じた室内機器の制御を可能とし且つ室内のデザイン性を向上させることができる室内機器制御装置及び室内機器制御システムを提供することを課題としている。
【課題を解決するための手段】
【０００６】
上記課題を解決するため本発明によりなされた請求項１記載の室内機器制御装置は、図１の基本構成図に示すように、室内に設けられた複数の室内機器２の中から利用者が入室時に選択した任意の前記室内機器２の動作を制御する室内機器制御装置１０であって、前記室内に入退出するドアの入室用取っ手１０２に設けられた複数の入室側操作手段１６と、前記入室側操作手段１６の各操作に対応する前記室内機器２の動作を特定する動作特定手段１１ａと、前記動作特定手段１１ａが特定した動作を前記室内機器２に要求する要求情報を生成する要求生成手段１１ｂと、前記要求生成手段１１ｂが生成した要求情報を前記室内機器２に送信する送信手段１４と、を有することを特徴とする。
【０００７】
上記請求項１に記載した本発明の室内機器制御装置によれば、利用者によって室内への入室するときに、入室用取っ手１０２に設けられた入室側操作手段１６にて予め定められた操作が行われると、該操作に対応した室内機器２の動作が動作特定手段１１ａによって特定される。そして、該特定された動作を要求する要求情報が要求生成手段１１ｂによって生成され、該要求情報は送信手段１４によって該当する室内機器２に送信されるため、入室時の操作に対応した室内機器２を動作させることができる。
【０００８】
請求項２記載の発明は、図１の基本構成図に示すように、請求項１に記載の室内機器制御装置において、前記ドアの退室用取っ手１０３に設けられた退室側操作手段１７を有するとともに、前記要求情報生成手段１１ｂが、前記退室側操作手段１７の操作に応じて前記室内機器２の動作の停止を要求する前記要求情報を生成するようにしたことを特徴とする。
【０００９】
上記請求項２に記載した本発明の室内機器制御装置によれば、利用者によって室内から退室するときに、退室用取っ手１０３に設けられた退室側操作手段１７にて予め定められた操作が行われると、該操作に応じて室内機器２の動作の停止を要求する要求情報が要求情報生成手段１１ｂによって生成され、該要求情報は送信手段１４によって該当する室内機器２に送信されるため、退室時に室内機器２の動作を停止させることができる。
【００１０】
請求項３記載の発明は、図１の基本構成図に示すように、請求項１又は２に記載の室内機器制御装置において、前記入室用取っ手１０２に設けられて前記入室側操作手段１６の操作開始を前記利用者に選択させる選択手段１６ａを有するとともに、前記動作特定手段１１ａが、前記選択手段１６ａの選択に応じて前記入室側操作手段１６の各操作に対応する前記室内機器２の動作を特定するようにしたことを特徴とする。
【００１１】
上記請求項３に記載した本発明の室内機器制御装置によれば、利用者が室内へ入室するときに選択手段１６ａを選択し且つ入室側操作手段１６にて予め定められた操作が行われたときに、該操作に対応した室内機器２の動作が動作特定手段１１ａによって特定されるため、入室用取っ手１０２に入室側操作手段１６を設けても、操作するしないを入室するときに利用者が選択することができる。
【００１２】
上記課題を解決するため本発明によりなされた請求項４記載の室内機器制御システムは、図１の基本構成図に示すように、室内に設けられた複数の室内機器２と、請求項１〜３の何れか１項に記載の室内機器制御装置１０と、を有する室内機器制御システムにおいて、前記室内機器２が、前記室内機器制御装置１０の送信手段１４から前記要求情報を受信する機器側受信手段２２と、該機器側受信手段２２が受信した前記要求情報に対応した動作を制御する制御手段２１と、を有することを特徴とする。
【００１３】
上記請求項４に記載した本発明の室内機器制御システムによれば、室内機器制御装置１０は入室側操作手段１６の操作に応じて該操作に対応した要求情報を生成して室内機器２に送信する。一方、室内機器２は室内機器制御装置１０から要求情報を機器側受信手段２２によって受信すると、制御手段２１によって要求情報に対応した動作を制御するため、入室時の入室側操作手段１６の操作に応じた室内機器２を動作させることができる。
【発明の効果】
【００１４】
以上説明したように請求項１に記載した本発明の室内機器制御装置によれば、ドアの入室用取っ手に複数の入室側操作手段を設けて、その操作に対応した室内機器の動作を要求する要求情報を生成して室内機器に送信するようにしたことから、利用者は入室時に複数の室内機器の中から任意の室内機器を動作させることができるため、入室と同時に利用者が要望する室内機器のみを動作させることができ、暗い室内でスイッチ、リモコン等を探す必要もなくなる。また、室内機器を入室側操作手段によって操作することができるため、室内の壁等に室内機器の操作スイッチ等を廃止したり、カバーで隠すなどできるようになり、室内デザイン上の規約を軽減することができる。従って、入室時の利用者の要求に応じた室内機器の制御を可能とし且つ室内のデザイン性を向上させることができる。
【００１５】
請求項２に記載の発明によれば、請求項１に記載の発明の効果に加え、退室用取っ手に退室側操作手段を設けて、その操作に応じて室内機器の動作を停止する要求情報を生成して室内機器に送信するようにしたことから、利用者は退室時に退室側操作手段を操作するだけで動作中等の室内機器を停止させることができるため、室内機器の操作スイッチを室内の壁等に設ける必要がなくなり、室内デザイン上の規約をさらに軽減して室内のデザイン性を向上させることができる。
【００１６】
請求項３に記載の発明によれば、請求項１又は２に記載の発明の効果に加え、入室用取っ手に選択手段をさらに設けて、該選択手段が選択された後に入室側操作手段の操作に応じて室内機器の動作を特定するようにしたことから、入室用取っ手に入室側操作手段を設けても、利用者は操作するしないを入室時に選択することができるため、利用者が必要なときのみに室内機器の動作を要求でき、且つ、利用者の誤操作等を防止することが可能となり、入室用取っ手の使い勝手の低下を防止することができる。
【００１７】
以上説明したように請求項４に記載した本発明の室内機器制御システムによれば、室内機器制御装置がドアの入室用取っ手に設けられた複数の入室側操作手段の操作に対応した室内機器の動作を要求する要求情報を生成して室内機器に送信するとともに、室内機器が室内機器制御装置から受信した要求情報に対応した動作を制御するようにしたことから、利用者は入室時に複数の室内機器の中から任意の室内機器を動作させることができるため、入室と同時に利用者が要望する室内機器のみを動作させることができ、暗い室内でスイッチ、リモコン等を探す必要もなくなる。また、室内機器を入室側操作手段によって操作することができるため、室内の壁等に室内機器の操作スイッチ等を廃止したり、カバーで隠すなどできるようになり、室内デザイン上の規約を軽減することができる。従って、入室時の利用者の要求に応じた室内機器の制御を可能とし且つ室内のデザイン性を向上させることができる。
【発明を実施するための最良の形態】
【００１８】
以下、本発明に係る室内機器制御装置及び室内機器制御システムの一実施の形態を、図２乃至〜図６の図面を参照して説明する。
【００１９】
図２乃至図５において、室内機器制御システム１は、室内１００に設けられた複数の室内機器２と、人感センサユニット３と、室内機器制御装置１０と、を有している。なお、本最良の形態では、室内機器２が２つの照明機器２０Ａと空調機器２０Ｂとである場合について説明するが、本発明はこれに限定するものではなく、その他にもオーディオ機器、パーソナル・コンピュータ等の室内１００に設置されている各種電気機器を室内機器２と設定することもできる。
【００２０】
人感センサユニット３は、人感センサ３１と、人感側通信部３２と、を有している。人感センサ３１は、室内１００の任意の箇所に設けられるとともに、例えば、人の体温に起因する赤外線を検出する焦電素子を有し、該焦電素子によって検出された赤外線に応答して、人感センサ信号を出力する。なお、人感センサ３１は、室内１００の予め定められた範囲をカバーするような性能のものを用いている。
【００２１】
人感側通信部３２は、後述する室内機器制御装置１０の通信部との間で各種情報の通信が可能な構成となっており、人感センサ３１が出力した人感センサ信号を人感センサ情報として室内機器制御装置１０に送信する。なお、通信方法は、有線、無線など種々異なる実施形態とすることができる。
【００２２】
室内機器制御装置１０は、図２及び図３に示すように、本体部１０ａと、操作部１０ｂと、を有しており、本体部１０ａがドア１０１の近傍の室内１００の壁１０５に設けられ、且つ、操作部１０ｂがドア１０１に設けられている。なお、本最良の形態では、本体部１０ａと操作部１０ｂとに分離した状態で室内１００の壁１０５とドア１０１とに分離した状態で設ける場合について説明するが、本体部１０ａと操作部１０ｂとを一体的に形成して、ドア１０１に設けることができる。
【００２３】
本体部１０ａは、予め定めたプログラムに従って各種の処理や制御などを行う中央演算処理装置（ＣＰＵ）１１と、ＣＰＵ１１のためのプログラム等を格納した読み出し専用のメモリであるＲＯＭ１２と、各種のデータを格納するとともにＣＰＵ１１の処理作業に必要なエリアを有する読み出し書き込み自在のメモリであるＲＡＭ１３と、を有している。
【００２４】
本体部１０ａはさらに、通信部１４とインタフェース部１５とを有している。通信部１４は、人感センサユニット３及び複数の室内機器２０との間で有線、無線等により各種情報の送受信が可能な周知である通信装置が用いられる。なお、通信方法としては、周知である家庭内ネットワーク（ECHONET:Energy Conservation Homecare Network）、ＬＡＮ（local area network）、無線など種々異なる通信方法を用いることができる。
【００２５】
通信部１４は、ＣＰＵ１１から入力される情報を指定された送信先に送信するとともに、受信した情報をＣＰＵ１１に出力する。通信部１４は、送信手段に相当し、ＣＰＵ１１から入力される要求情報を室内機器２に送信する。
【００２６】
インタフェース部１５は、ＣＰＵ１１と操作部１０ｂとの間で各種情報の入出力が可能な構成となっている。なお、インタフェース部１５の構成については、無線、有線の何れに対応した構成でも良い。インタフェース部１５は、操作部１０ｂから入力されるスイッチ状態等を示す状態情報や選択情報をＣＰＵ１１に出力する。
【００２７】
本体部１０ａは、図示しないが、電磁誘導等でドア１０１の閉時に操作部１０ｂ側に電力を供給する構成となっており、操作部１０ｂはその供給される電力によって動作する構成となっている。
【００２８】
ＲＯＭ１２には、ＣＰＵ１１を特許請求の範囲に記載の動作特定手段及び要求生成手段として機能させるための後述する室内機器制御処理プログラムや各種テーブル等が記憶されている。
【００２９】
操作部１０ｂは、図２に示すように、入室側操作部１６と、退室側操作部１７と、操作側インタフェース部１８と、を有している。入室側操作部１６は、図４及び図５に示すように、親指キー１６ａと、人差し指キー１６ｂと、中指キー１６ｃと、薬指キー１６ｄと、小指キー１６ｅと、を有している。
【００３０】
親指キー１６ａは、選択手段に相当するとともに、入室用取っ手１０２の表面に利用者から視認可能なうように設けられており、プッシュスイッチ等が用いられる。親指キー１６ａは、利用者による押圧に応じて状態が変化したことを示す操作信号を操作側インタフェース部１８を介してＣＰＵ１１に出力する。該親指キー１６ａの操作に応じて、ＣＰＵ１１は利用者が入室側操作部１６を操作して入室しようとしていることを検知するようにしている。
【００３１】
人差し指キー１６ｂと中指キー１６ｃと薬指キー１６ｄと小指キー１６ｅの各々は、入室側操作手段に相当するとともに、入室用取っ手１０２の裏面の利用者から視認不能な箇所に並設されており、プッシュスイッチ等が用いられる。つまり、各キーは利用者が入室用取っ手１０２を握った際の各指に対応した位置に配置されており、利用者による押圧に応じて状態が変化したことを示す操作信号を操作側インタフェース部１８を介してＣＰＵ１１に出力する。
【００３２】
人差し指キー１６ｂは、照明機器２０ＡのＯＮ動作が割り当てられている。中指キー１６ｃは、照明機器２０Ａの調光量が割り当てられており、押すと全点灯、押した回数により増光、離すと減光などと設定することで、調光量の設定が可能な構成となっている。薬指キー１６ｄは、空調機２０ＢのＯＮ動作が割り当てられている。小指キー１６ｅは、空調運転モード等が割り当てられており、押すと冷暖房、離すと換気のみなどのように、冷暖房の設定、選択が可能な構成となっている。
【００３３】
退室側操作部１７は、親指キー１７ａを有している。親指キー１７ａは、上述した入室側操作部１６と同様に、退室用取っ手１０３の表面に利用者から視認可能なうように設けられており、プッシュスイッチ等が用いられる。親指キー１７ａは、利用者による押圧に応じて状態が変化したことを示す操作信号を操作側インタフェース部１８を介してＣＰＵ１１に出力する。該親指キー１７ａの操作に応じて、ＣＰＵ１１は利用者が退室後に室内機器２を停止させようとしていることを検知するようにしている。
【００３４】
操作側インタフェース部１８は、入室側操作部１６と退室側操作部１７に接続されており、上述した本体部１０ａのインタフェース部１５に対応する構成となっている。そして、本体部１０ａのインタフェース部１５を介してＣＰＵ１１との間で各種情報の入出力が可能な構成となっている。
【００３５】
なお、入室側操作部１６と退室側操作部１７の構成については、室内１００に設けられた制御対象となる室内機器２の数に応じて種々異なる構成とすることができる。また、本最良の形態では、退室側操作部１７に親指キー１７ａのみを用いる場合について説明するが、入室側操作部１６の人差し指キー１６ｂと中指キー１６ｃと薬指キー１６ｄと小指キー１６ｅを退室側操作部１７にも設ければ、退室側操作部１７を室内機器２毎に壁１０５等に設けられる操作スイッチ等として用いることができる。
【００３６】
また、入室側操作部１６と退室側操作部１７については、キー操作時に操作音を発する構成とすることも可能であり、このような構成とすれば、キー操作の有効／無効を利用者に認識させることができるため、誤操作等を防止することができる。
【００３７】
照明機器２０Ａ及び空調機器２０Ｂは、制御部２１と、機器側通信部２２と、スイッチ部２３と、を有している。制御部２１は、基本的にＣＰＵ、ＲＯＭ、ＲＡＭを有するマイクロコンピュータからなり、制御手段に相当している。なお、制御部２１は、照明機器２０Ａ及び空調機器２０Ｂに既存のものであり、それぞれの機器に応じた固有の処理を行っている。
【００３８】
機器側通信部２２は、機器側受信手段に相当し、上述した室内機器制御装置１０の通信部１４と通信可能な通信装置が用いられる。機器側通信部２２は、受信した要求情報を制御部２１に出力する。このように構成することで、制御部２０は、機器側通信部２２から要求情報が入力されると、該要求情報が示す室内機器２の動作を特定し、該動作となるように制御を行う。
【００３９】
スイッチ部２３は、室内機器２の操作に必要な１又は複数の操作スイッチを有している。スイッチ部２３は、利用者から視認されないように壁１０５に設けられており、内のデザイン性を向上させている。スイッチ部２３は、制御部２１に接続されており、その操作に応じた操作信号を制御部２１に出力する。そして、制御部２１は、入力された操作信号に応じた動作を制御する。
【００４０】
次に、上述した室内機器制御装置１０のＣＰＵ１１が実行する本発明に係る室内機器制御処理の一例を、図６のフローチャートを参照して以下に説明する。
【００４１】
ステップＳ１１において、操作部１０ｂからの入力に基づいて、入室側操作部１６の親指キー１６ａが操作されたか否かが判定される。親指キー１６ａが操作されていないと判定された場合は（Ｓ１１でＮ）、この判定処理を繰り返すことで、親指キー１６ａが操作されるのを待つ。一方、親指キー１６ａが操作されたと判定された場合は（Ｓ１１でＹ）、ステップＳ１２に進む。
【００４２】
ステップＳ１２において、人感センサ３１の節電モードをＯＦＦにする要求情報が生成され、該要求情報の送信先を人感センサユニット３として通信部１４に出力されることで、通信部１４によって要求情報が人感センサユニット３に送信され、その後ステップＳ１３に進む。そして、人感センサユニット３は、該受信した要求情報に基づいて節電モードがＯＦＦされる。なお、節電モードがＯＦＦとは、人感センサ３１を用いて室内１００に人が存在するかを検知しない状態を示している。
【００４３】
ステップＳ１３において、操作部１０ｂからの入力に基づいて、例えば、親指キー１６ａが操作されてから所定時間が経過するまで等の入室側操作部１６の操作状態が検出され、その後ステップＳ１４に進む。
【００４４】
ステップＳ１４（動作特定手段）において、検出された操作情報に基づいて室内機器２の動作が特定され、該特定された動作を示す動作特定情報がＲＡＭ１３に記憶され、その後ステップＳ１５に進む。なお、室内機器２の動作の特定については、例えば、入室側操作部１６の人差し指キー１６ｂと薬指キー１６ｄが操作されている場合、照明機器２０Ａと空調機器２０Ｂの動作開始が要求されたものと特定することになる。さらに、中指キー１６ｃや小指キー１６ｅが操作されている場合、その各操作に応じてその設定量、設定モード等が特定されることになる。
【００４５】
ステップＳ１５（要求情報生成手段）において、ＲＡＭ１３の動作特定情報に基づいて、動作特定情報が示す動作を室内機器２に要求する要求情報がＲＡＭ１３に生成されて記憶され、その後ステップＳ１６に進む。なお、複数の室内機器２に要求される場合は、各室内機器２に対して要求情報が生成される。要求情報は、例えば、動作を要求する要求コード、送信先、要求元等の各種データを有し、室内機器２の製造元等との間で予め定められた書式となっている。
【００４６】
ステップＳ１６において、ＲＡＭ１３の要求情報の送信先を人感センサユニット３として通信部１４に出力されることで、通信部１４によって要求情報が該当する室内機器２に送信され、その後ステップＳ１７に進む、そして、室内機器２は、該受信した要求情報が示す動作で制御される。
【００４７】
ステップＳ１７において、操作部１０ｂからの入力に基づいて、退室側操作部１７の親指キー１７ａが操作されたか否かが判定される。操作されていないと判定された場合は（Ｓ１７でＮ）、この判定処理を繰り返すことで、退室側操作部１７に対する操作を待つ。一方、退室側操作部１７の親指キー１７ａが操作されたと判定された場合は（Ｓ１７でＹ）、ステップＳ１８に進む。
【００４８】
ステップＳ１８において、人感センサ３１の節電モードをＯＮにする要求情報が生成され、該要求情報の送信先を人感センサユニット３として通信部１４に出力されることで、通信部１４によって要求情報が人感センサユニット３に送信され、その後ステップＳ１９に進む。そして、人感センサユニット３は、該受信した要求情報に基づいて節電モードがＯＮされ、人感センサ３１は検知状態となる。
【００４９】
ステップＳ１９において、通信部１４で受信した人感センサ情報に基づいて、人感センサ３１の反応があるか否かが判定される。人感センサ３１の反応があると判定された場合は（Ｓ１９でＹ）、室内１００に人が存在していると見なされ、該判定処理を繰り返すことで、室内１００から人が退室するのを待つ。一方、人感センサ３１の反応がないと判定された場合は（Ｓ１９でＮ）、室内１００に人が存在しないと見なされ、ステップＳ２０に進む。
【００５０】
ステップＳ２０（要求情報生成手段）において、退室側操作部１７の親指キー１７ａの操作、人感センサ３１によって人がいなくなったことの検知等に応じて室内機器２の停止を要求する要求情報がＲＡＭ１３に生成されて記憶され、その後ステップＳ２１に進む。なお、動作の停止を要求する要求情報は、上述したステップＳ１５で動作を要求した室内機器２に対して生成することを前提に説明するが、制御対象となる室内機器２の全て、任意の室内機器２のみなど種々異なる実施形態とすることができる。
【００５１】
ステップＳ２１において、ＲＡＭ１３の要求情報の送信先を室内機器２として通信部１４に要求情報が出力されることで、通信部１４によって要求情報が該当する室内機器２に送信され、その後ステップＳ１１に戻り、一連の処理が繰り返される。そして、室内機器２は、要求情報の受信に応じて動作を停止するように制御される。
【００５２】
次に、上述した構成による本発明に係る室内機器制御システム１における室内機器制御装置１０と各室内機器２の動作（作用）の一例を以下に説明する。
【００５３】
まず、利用者が室内１００に入室する場合、室内機器制御装置１０は、利用者の入室時に入室側取っ手１０２の入室側操作部１６が操作されたことを検出すると、人感センサユニット３に対して動作（監視）停止を要求する要求情報を生成して送信するとともに、その操作に対応する１又は複数の室内機器２とその動作を特定する。例えば、入室側操作部１６の人差し指キー１６ｂ及び薬指キー１６ｄが操作されていると、照明機器１０Ａ及び空調機器１０Ｂの動作開始を要求する各要求情報を生成し、該要求情報を照明機器１０Ａ及び空調機器１０Ｂに送信する。一方、照明機器１０Ａは、受信した要求情報に基づいて動作つまり照明を開始する。空調機器１０Ｂは、予め設定されているモードで運転を開始する。
【００５４】
利用者が室内１００に滞在している場合、室内機器制御装置１０は、利用者による退室側操作部１７の親指キー１７ａに対する利用者の操作を監視する。そして、照明機器１０Ａは照明状態を維持しており、空調機器１０Ｂは運転状態を維持している。
【００５５】
利用者が室内１００から退室する場合、利用者によって退室側操作部１７の親指キー１７ａが操作されると、室内機器制御装置１０は、人感センサユニット３に対して動作（監視）開始を要求する要求情報を生成して送信する。そして、人感センサユニット３からの人感センサ情報に基づいて室内１００から人の存在しなくなったことを検出すると、室内機器２Ａ及び空調機器１０Ｂの動作終了を要求する要求情報を生成し、該要求情報を照明機器１０Ａ及び空調機器１０Ｂに送信する。そして、照明機器１０Ａは受信した要求情報に基づいて動作つまり照明を終了し、空調機器１０Ｂも同様に運転を停止する。
【００５６】
以上説明した発明の室内機器制御システム１によれば、室内機器制御装置１０がドア１０１の入室用取っ手１０２に設けられた入室側操作部１６の操作に対応した室内機器２の動作を要求する要求情報を生成して室内機器２に送信するとともに、室内機器２が室内機器制御装置１０から受信した要求情報に対応した動作を制御するようにしたことから、利用者は入室時に複数の室内機器２の中から任意の室内機器２を動作させることができるため、入室と同時に利用者が要望する室内機器２のみを動作させることができ、暗い室内でスイッチ、リモコン等を探す必要もなくなる。また、室内機器２を入室側操作部１６によって操作することができるため、室内１００の壁１０５に室内機器２の操作スイッチ２３を廃止したり、カバーで隠すなどできるようになり、室内デザイン上の規約を軽減することができる。従って、入室時の利用者の要求に応じた室内機器の制御を可能とし且つ室内のデザイン性を向上させることができる。
【００５７】
また、室内機器制御装置１０によれば、退室用取っ手１０３に退室側操作部１７を設けて、その操作に応じて室内機器２の動作を停止する要求情報を生成して室内機器２に送信するようにしたことから、利用者は退室時に退室側操作部１７を操作するだけで動作中等の室内機器２を停止させることができるため、室内機器２のスイッチ部２３を室内１００の壁１０５等に設ける必要がなくなり、室内デザイン上の規約をさらに軽減して室内１００のデザイン性を向上させることができる。
【００５８】
さらに、室内機器制御装置１０によれば、入室用取っ手１０２に選択手段である親指キー１６ａをさらに設けて、該親指キー１６ａが選択された後に入室側操作部１６のその他のキー操作に応じて室内機器２の動作を特定するようにしたことから、入室用取っ手１０２に入室側操作に１６を設けても、利用者は操作するしないを入室時に選択することができるため、利用者が必要なときのみに室内機器２の動作を要求でき、且つ、利用者の誤操作等を防止することが可能となり、入室用取っ手１０２の使い勝手の低下を防止することができる。
【００５９】
また、人感センサ３１に焦電素子を用いている場合、人感センサ３１は人が動いていないと、人の存在を感知することができずに誤検出してしまい、該誤検出に応じて照明機器２０Ａの誤消灯が発生してしまうが、本発明と人感センサ３１を組み合わせて室内機器２０の自動制御を行うようにすることで、入退室の情報を人が入室側操作部１６及び退室側操作部１７によって入力することができるため、自動制御時の誤制御をなくすことができる。特に、退室時に操作する機会を設けることで、節電機能の入れ忘れを確実に防止することができる。
【００６０】
なお、上述した本最良の形態では、選択手段を入室側操作部１６の親指キー１６ａで実現する場合について説明したが、本発明はこれに限定するものではなく、選択手段は種々異なる実施形態とすることができる。例えば、入室側取っ手１０２のシリンダの角度検出する機構によって実現する場合は、その機構によって入室側取っ手１０２の回動動作を検出した際に選択されたと判断するようにすれば、利用者の操作性を向上させることができる。
【００６１】
また、上述した本最良の形態では、退室側操作部１７に対する操作に応じて人感センサ３１によって人の存在を確認する場合について説明したが、入室側操作部１６に対する操作に応じて人の存在の有無を監視するようにすれば、利用者は退室時に退室側操作部１７を操作する必要がなくなり、また、退室側操作部１７を退室側取っ手１０３に設ける必要がなくなる。
【００６２】
また、上述した本最良の形態では、室内機器制御装置１０が人感センサユニット３を用いて、室内１００に人が存在するか否かを監視する場合について説明したが、入室側操作部１６及び退室側操作部１７の操作だけで複数の室内機器２の動作を制御するようにすれば、室内機器制御システム１の低コスト化を図ることができる。
【００６３】
さらに、上述した室内機器制御システム１において、ドア１０１に室内１００の各種室内機器２のＯＮ／ＯＦＦ状態及び制御状態を視認可能とする表示部を室内機器制御装置１０の構成に追加して、該表示部をドアに設けることもできる。このように表示部を設けることで、利用者は入室時、退室時等に室内機器の各種状態を認識した上で入室側操作部１６や退室側操作部１７を操作することができる。
【００６４】
また、図４及び図５に示す入室用取っ手１０２及び退室用取っ手１０３の各指に対応する各キーの機能や動作を目的に応じて任意に設定できるように、室内機器制御装置１０にプログラマブル機能を設けておくことで、入室用取っ手１０２及び退室用取っ手１０３のキー配置を利用者の好み等応じて変更したり、１８０度反転させて「左利き」用としても使用することができる。
【図面の簡単な説明】
【００６５】
【図１】本発明の室内機器制御装置及び室内制御システムの基本構成を示す構成図である。
【図２】本発明の室内機器制御装置及び室内制御システムの概略構成の一例を示す構成図である。
【図３】図２中の室内機器制御装置の本体部と操作部の配置例を説明するための図である。
【図４】入室側取っ手の入室側操作部の配置を説明するための模式図である。
【図５】入室側取っ手の入室側操作部及び退室側取っ手の退室側操作部の配置関係を説明するための模式図である。
【図６】図２中のＣＰＵが実行する本発明に係る室内機器制御処理の一例を示すフローチャートである。
【符号の説明】
【００６６】
１    室内機器制御システム
２    室内機器（照明機器、空調機器）
１０    室内機器制御装置
１１ａ    動作特定手段（ＣＰＵ）
１１ｂ    要求情報生成手段（ＣＰＵ）
１４    送信手段（通信部）
１６    入室側操作手段（入室側操作部）
１６ａ    選択手段（入室側操作部）
１７    退室側操作手段（退室側操作部）
２１    制御手段（制御部）
２２    機器側受信手段（機器側通信部）
１００    室内
１０２    入室用取っ手
１０３    退室用取っ手
【図１】
2007235855.tif 000003
【図２】
2007235855.tif 000004
【図３】
2007235855.tif 000005
【図４】
2007235855.tif 000006
【図５】
2007235855.tif 000007
【図６】
2007235855.tif 000008